(57)【特許請求の範囲】
【請求項１】
映像信号に重畳される第１の音声信号と、該第１音声信号とは別に入力されて、かつ映像信号を含まない第２の音声信号の一方を用いて音声の再生、記録または出力が可能な映像・音声信号受信装置において、
前記第１の音声信号が入力される第１の入力部と、
前記第２の音声信号が入力される第２の入力部と、
前記音声の再生、記録または出力のために用いられる音声信号として、前記第１の入力部に入力される前記第１の音声信号または前記第２の入力部に入力される第２の音声信号のいずれかを選択するスイッチと、
前記第１の音声信号が前記映像信号に重畳されているか否かを判別する音声切換制御回路と、
前記第２の入力部に前記第２の音声信号が入力されているかを判定する副音声評価部と、
画面上にメッセージを表示するためのＯＳＤ部と、を備え、
前記音声切換制御回路は、
前記第１の音声信号が前記映像信号に重畳されており、該第１の音声信号のエラーレートが閾値よりも小さい場合に、前記第１の音声信号を選択するように前記スイッチを制御し、
前記第１の音声信号が前記映像信号に重畳されていない場合に、前記第２の音声信号を選択するように前記スイッチを制御し、
前記前記第１の音声信号が前記映像信号に重畳されており、該第１の音声信号のエラーレートが閾値よりも大きい場合で、かつ前記副音声評価部で前記第２の入力部に前記第２の音声信号が入力されていないと判定された場合に、前記第１の音声信号を選択するように前記スイッチを制御するとともに、前記第１の音声信号の品質に関するメッセージを画面に表示させるように前記ＯＳＤ部を制御することを特徴とする映像・音声信号受信装置。
【請求項２】
請求項１に記載の映像・音声信号受信装置において、前記第１の音声信号が前記映像信号に重畳されている場合で、かつ該第１の音声信号のエラーレートが閾値よりも大きく、かつ前記副音声評価部で前記第２の入力部に前記第２の音声信号が入力されていると判定されたときは、前記第２の音声信号を選択するように前記スイッチを制御することを特徴とする映像・音声信号受信装置。
【請求項３】
請求項１に記載の映像・音声信号受信装置において、前記第１の音声信号はディジタル音声信号で、前記第２の音声信号はアナログ音声信号であり、更に、前記ディジタル音声信号をアナログ信号に変換するＤ／Ａ変換器を備え、
前記スイッチは、前記アナログ音声信号と前記Ｄ／Ａ変換器からの出力信号のいずれか一方を選択するものであり、
前記音声切換制御回路は、前記ディジタル音声信号が前記映像信号に重畳されている場合で、かつ該ディジタル音声信号のエラーレートが閾値よりも小さいときは、前記Ｄ／Ａ変換器からの出力信号を優先的に選択するように、前記スイッチを制御することを特徴とする映像・音声信号受信装置。
【請求項４】
請求項２に記載の映像・音声信号受信装置において、
前記ＯＳＤ部によって表示される前記メッセージは、前記映像信号に重畳される第１の音声信号を前記第１の入力部に伝送するためのケーブルに関するメッセージであることを特徴とする映像・音声信号受信装置。
【請求項５】
請求項３に記載の映像・音声信号受信装置において、前記音声切換制御回路によって前記アナログ音声信号が選択された場合に、前記Ｄ／Ａ変換器への電源供給が停止されることを特徴とする映像・音声信号受信装置。
【請求項６】
映像信号に重畳される第１の音声信号と、映像信号に重畳されない第２の音声信号とが各々入力され、該映像信号により得られた映像を表示デバイス上に表示し、かつ前記第１の音声信号または第２の音声信号により得られた音声をスピーカから出力することが可能なテレビジョン受像機において、
前記第１の音声信号が入力される第１の入力部と、
前記第２の音声信号が入力される第２の入力部と、
前記音声の再生、記録または出力のために用いられる音声信号として、前記第１の入力部に入力される前記第１の音声信号または前記第２の入力部に入力される第２の音声信号のいずれかを選択するスイッチと、
前記第１の音声信号が前記映像信号に重畳されているか否かを判別する音声切換制御回路と、
前記第２の入力部に前記第２の音声信号が入力されているかを判定する副音声評価部と、
前記表示デバイスにメッセージを表示するためのＯＳＤ部と、を備え、
前記音声切換制御回路は、
前記第１の音声信号が前記映像信号に重畳されており、該第１の音声信号のエラーレートが閾値よりも小さい場合に、前記第１の音声信号を選択するように前記スイッチを制御し、
前記第１の音声信号が前記映像信号に重畳されていない場合に、前記第２の音声信号を選択するように前記スイッチを制御し、
前記前記第１の音声信号が前記映像信号に重畳されており、該第１の音声信号のエラーレートが閾値よりも大きい場合で、かつ前記副音声評価部で前記第２の入力部に前記第２の音声信号が入力されていないと判定された場合に、前記第１の音声信号を選択するように前記スイッチを制御するとともに、前記第１の音声信号の品質に関するメッセージを前記表示デバイスに表示させるように前記ＯＳＤ部を制御することを特徴とするテレビジョン受像機。
【請求項７】
請求項６に記載のテレビジョン受像機において、前記第１音声信号が前記映像信号に重畳されている場合で、かつ該第１音声信号のエラーレートが閾値より大きく、かつ前記副音声評価部で前記第２の入力部に前記第２の音声信号が入力されていると判定されたときは、前記第２音声信号を選択するように前記スイッチを制御することを特徴とするテレビジョン受像機。
【請求項８】
請求項６に記載のテレビジョン受像機において、前記第１の音声信号はディジタル音声信号で、前記第２の音声信号はアナログ音声信号であり、更に、前記ディジタル音声信号をアナログ信号に変換するＤ／Ａ変換器を備え、
前記スイッチは、前記アナログ音声信号と前記Ｄ／Ａ変換器からの出力信号のいずれか一方を選択するものであり、
前記音声切換制御回路は、前記ディジタル音声信号のエラーレートが閾値よりも小さいときに、前記Ｄ／Ａ変換器からの出力信号を優先的に選択するように、前記スイッチを制御することを特徴とするテレビジョン受像機。
【発明の詳細な説明】
【技術分野】
【０００１】
本発明は、映像、音声などの情報が入力されて、映像表示と音声再生する表示するテレビジョン受像機や、映像と音声を記録する例えばＶＴＲ，ＤＶＤ等の記録装置、映像と音声を再出力するスイッチャ等の映像・音声受信装置に関する。
【背景技術】
【０００２】
テレビジョン放送、およびこれを記録し再生する装置、さらには映画ソフトなどのパッケージメディアの分野では、ディジタル放送が開始され、これに対応した放送受信装置（以下、ＳＴＢ；set-top-box）、ディジタル記録再生装置、ＨＤ（High Definition）方式対応の表示装置が発売されている。再生装置で用いるパッケージソフトも近い将来現れるであろう。
【０００３】
周知のとおり、情報信号は伝送ないし記録再生過程においては、データ量の圧縮、時分割多重などの処理が施されているが、これらはＳＴＢで元に戻される。従って、少なくも映像情報は、ディジタルで受け渡す場合においても、表示装置へはベースバンドで与えられることが一般的である。
【０００４】
テレビジョン受像機等の表示装置では、上記したＳＴＢを介して、放送信号、ハードディスクレコーダ・ＤＶＤ（Digital Versatile Disc）・ディジタルＶＴＲなどの再生信号が入力される。このためＳＴＢとの間で、これらの情報信号を受け渡すための規格を定めねばならない。
【０００５】
北米地域では、このための表示装置用のディジタル映像ベースバンド伝送規格として、ＥＩＡ／ＣＥＡ８６１という規格が２０００年1月に発行されている。ここには、ＰＣ（Personal Computer）の本体と表示装置の接続規格であるＤＶＩ１．０（Digital Visual Interface version 1.0）などが使用されている。ＰＣの本体と表示装置の接続方法については、たとえば特開昭６１−２９０５２９号公報や、日本電子工業振興協会が定めたディジタルモニタインタフェース標準（ＪＥＩＤＡ−５９−１９９９）などで記述されているように、主には映像情報の伝送方法を詳しく定めている。この場合、音声情報は別の接続線で送ることになる。音声情報はアナログ、ディジタルいずれの形式であっても良く、別の接続線はアナログケーブル、ディジタル同軸ケーブル、ディジタル光ケーブルなど、いずれであっても良い。
【発明の開示】
【発明が解決しようとする課題】
【０００６】
しかし、使い勝手を考慮すれば、一組のケーブルで映像、音声とも伝送できた方が良い。そこで、そのための方法として、映像信号の垂直ないし水平の帰線期間中にディジタル音声信号を重畳するなど、種々の方法が提案されている。
【０００７】
従って、ディジタル音声信号をディジタル映像信号に重畳して伝送する系統と、音声信号(アナログ、もしくはディジタル形式のいずれか)を映像信号とは独立して伝送する系統の２つのインターフェイスを持った装置が出現する可能性もあるだろう。このような装置の場合、ユーザはリモコンなどを用いて、手動で、ディジタル映像信号に重畳されたディジタル音声信号か、映像信号とは別系統で送信された音声信号のいずれかを選択することになる。いずれを選択するかは、実際にスピーカ等から音声再生出力が得られるか否かで判断することになるが、その場合、ユーザは切換操作をしながらどの系統から音声が送信されているかを確認せねばならず、不便である。
【０００８】
本発明の目的は、上記課題に鑑みて為されたものであって、その目的は、上記したようなユーザによる手動操作なしに適切な音声出力が得ることを可能にして使い勝手を向上させた、テレビジョン受像機などの映像・音声受信装置を提供することにある。尚、ここで言う映像・音声受信装置は、テレビジョン受像機のみならず、ＶＴＲやＤＶＤ等の映像及び音声の記録・再生装置、映像・音声入力切換装置、映像・音声分分配器等も含む。
【課題を解決するための手段】
【０００９】
上記目的を達成するために、本発明は、
映像信号に重畳される第１の音声信号が入力される第１の入力部と、映像信号に重畳されない第２の音声信号が前記第１の音声信号とは別に入力される第２の入力部と、前記音声の再生、記録または出力のために用いられる音声信号として、前記第１の入力部に入力される前記第１の音声信号または前記第２の入力部に入力される第２の音声信号のいずれかを選択するスイッチと、前記第１の音声信号が前記映像信号に重畳されているか否かを判別する音声切換制御回路と、前記第２の入力部に前記第２の音声信号が入力されているかを判定する副音声評価部と、画面上にメッセージを表示するためのＯＳＤ部と、を備え、
前記音声切換制御回路は、
前記第１の音声信号が前記映像信号に重畳されており、該第１の音声信号のエラーレートが閾値よりも小さい場合に、前記第１の音声信号を選択するように前記スイッチを制御し、前記第１の音声信号が前記映像信号に重畳されていない場合に、前記第２の音声信号を選択するように前記スイッチを制御し、前記第１の音声信号が前記映像信号に重畳されており、該第１の音声信号のエラーレートが閾値よりも大きい場合で、かつ前記副音声評価部で前記第２の入力部に前記第２の音声信号が入力されていないと判定された場合に、前記第１の音声信号を選択するように前記スイッチを制御するとともに、前記第１の音声信号の品質に関するメッセージを画面に表示させるように前記ＯＳＤ部を制御することを特徴とする。
【００１０】
上記第１の音声信号及び映像信号はディジタル形式の信号であり、前記第２の音声信号はアナログ形式の信号であってもよいし、ディジタル形式の信号であってもよい。
【００１１】
また、前記音声切換制御回路は、前記ディジタル音声信号のエラーレートが所定の閾値を超えた場合に、第２の音声信号をスピーカへ供給するように前記スイッチを制御するようにしてもよい。更に、エラーレートが閾値よりも大きく、かつ第２の音声信号が送信されていない場合は、第１の音声信号を選択するようにスイッチを制御する。
【発明の効果】
【００１３】
本発明によれば、音声信号の切換が自動的に行われるため、使い勝手が向上する。
【発明を実施するための最良の形態】
【００１４】
以下、本発明の実施形態について、図面を用いながら説明する。図１は本発明の実施例を示すブロック図であって、１は信号発生装置、２は映像・音声受信装置を示す。双方は図中４１，４２で示す、少なくも二つのインタフェース（ケーブルなど）で接続されている。信号発生装置１のなかで、１１は映像信号源、１２は音声信号源、１３は音声重畳回路、１４はデータ送信回路、１５はＤＡＣ（Digital Analogue Converter）である。表示装置２のなかで、２１はデータ受信回路、２２は音声分離回路、２３は加算回路、２４は映像の表示部、２５はＤＡＣ付の音声処理回路、２６はスイッチ、２７はスピーカ、２８は音声切換制御回路、２９はＯＳＤ（On Screen Display）回路、２１０は副音声評価回路、２４１は表示記録部、２４２は表示出力、２７１は音声記録部、２７２は音声出力である。
【００１５】
本発明は、ユーザに煩わしい切替え動作を要求することのないように、まず、映像信号にディジタル音声信号が重畳されているか否かを自動判別する。一般にアナログ形式で伝送されるものよりは、ディジタル形式で伝送されるものの方が品質は良いので、重畳されている場合には、映像信号に重畳されたディジタル音声信号を優先的に選択して出力する。判別した結果に応じて、使用しない側の音声信号処理回路の電源を切断し、節電をしても良い。但し、ディジタル信号が重畳されているか否かの判別は、継続して行う。
【００１６】
さらには、ディジタル音声信号といえども、エラーレートが高くなると急激に品質が劣化し、むしろアナログ形式で接続されたものを出力した方が好ましくなる。したがい、ディジタル音声信号の重畳の有無だけではなく、これが有る場合にはさらにエラーレートによって、いずれかを選択して出力しても良い。信号発生装置１と表示装置２は、比較的短い距離にあることを前提としているため、ディジタル形式で伝送する場合にも、映像情報に対してはエラー訂正をしないことが普通であるが、エラーに関する仕様の厳しい音声情報に対してはエラー訂正することが多いので、上記したエラーレートを監視する機能を実現するのは容易である。
【００１７】
なお、今後は映像信号にディジタル音声信号を重畳することを前提に、装置を設計することが増えるであろうが、この場合でも従来の装置との互換を持たせるため、アナログ形式による音声信号の接続は残されると考えられるので、本発明を適用できる。
【００１８】
また、出力する音声信号が切換った時、あるいは、ディジタル音声信号が重畳されているにもかかわらずエラーが極めて多く、何らかの異常が考えられる時など、その旨メッセージを出すようにすると便利である。
【００１９】
以上の事項に特に重点を置いて、図１に基づきその動作を説明する。信号発生装置１の構成要素である映像信号源１１からは、ディジタル映像信号が、音声信号源１２からはディジタル音声信号が発生される。これは信号発生装置１がＳＴＢである場合には、たとえばディジタル放送を受信して得たものであり、またＳＴＢに内蔵されたハードディスクレコーダから再生された情報であったりする。ＤＶＤ、ディジタルＶＴＲなどであれば、取付けられた記録媒体から再生された情報であり、たとえばパッケージソフトである場合もある。
【００２０】
ディジタル音声信号は音声重畳回路１３で、ディジタル映像信号に重畳される。その方法はいくつか考えられる。例えば映像の水平ないし垂直の帰線期間に重畳する方法がある。帰線期間においては映像信号を伝送する必要は無いので、その期間に映像信号に代えて音声信号をオーディオパケットとして、ディジタル音声信号を送ることが考えられる。
【００２１】
音声重畳回路１３の出力は、データ送信回路１４へ与えられ、必要に応じて符号変換され、また電力増幅され、インターフェース４２を介して、表示装置２へ与えられる。また、さきの音声信号源１２の出力は、ＤＡＣ１５にも与えられてアナログ音声信号となり、インターフェース４１を介して、映像・音声受信装置２へ与えられる。
【００２２】
次に映像・音声受信装置２の動作を、必要に応じて図２のフローチャートも用いて説明する。インターフェース４２を介して入力されたディジタル映像信号は、データ受信回路２１に与えられる。もしこれに対して伝送のための符号変換が施されているなら、ここで復号される。さらに音声分離回路２２に与えられ、ここで上記したディジタル音声信号を分離して、ＤＡＣ付の音声処理回路２５と音声切換制御回路２８に入力される。音声信号が重畳されていない場合はダミーデータをＤＡＣ付の音声処理回路２５に、音声重畳されていないという情報を音声切換制御回路２８に与える。なお、音声分離回路２２と音声切換制御回路２８は回路的に分かれておらず、一体のこともあるが、この場合も本発明の範疇にある。一方、ディジタル映像情報は加算回路２３へ与えられ、後記するようにＯＳＤ回路２９からの情報を加算したうえで、表示部２４へ入力され、映像表示される。表示記録部２４１がある場合はそこに映像記録され、表示出力部２４２がある場合は映像出力される。音声分離回路２２の動作は当然ながら、ディジタル音声信号の多重方法によって異なる。例えば映像の水平ないし垂直のブランキングに重畳されているならば、ブランキングのタイミングをみて分離する。
【００２３】
次に音声切換制御回路２８の動作について述べる。図２は音声切換制御回路２８の動作を示すフローチャートであり、これも併用して説明に使用する。図２でスタート１０１は一連の動作の開始点を示す。まず、音声重畳の判別部１０２で、映像信号に対するディジタル音声信号の重畳の有無を判別する。受信データに含まれるフォーマット情報から判別したり、音声分離回路２２で分離された情報から音声信号のクロックが再生されるか否かで判別したりするなど、いくつかの方法が知られている。ディジタル音声信号の重畳が無い場合は、図２上でそのまま下へ行って１０３に至り、スイッチ２６へ指令を出して、接続を図示とは逆の方向に切り換える。その結果、インタフェース４１を介して入力された、映像信号に重畳せずに入力された音声信号がスピーカ２７へ供給され、音声を再生する。音声記録部２７１がある場合はここに音声記録され、音声出力２７２がある場合はそこに音声出力される。
【００２４】
この時、図２の１０４で示したように、ＤＡＣ付の音声処理回路２５など、使用しない回路ブロックの電源を供給しないようにし、消費電力の低減を図っても良い。さらにＯＳＤ回路２９へ指令を送り、図２の１０５で示したように、インタフェース４１側から供給された音声信号を出力していることを、表示部２４にメッセージで表示しても良い。勿論、表示は長い時間継続しても良く、また短時間のみ表示した後に消しても良い。その後、音声重畳の判別部１０２へ戻り判定を続ける。途中で状況が変わっても対応できるよう、判別動作は最初に一度しただけで終了することはない。
【００２５】
なお、図１ではインタフェース４１を介して入力される音声信号は、アナログ信号として記述しているが、本発明ではこれに限定するものではない。要は映像信号に重畳することなく、別のインタフェースで送られたものを意味し、インタフェースがディジタル同軸ケーブル、ディジタル光ケーブルであって、ディジタル音声信号として供給される場合も含んでいる。その場合は、信号発生装置１のＤＡＣ１５は除去され、インタフェース４１とスイッチ２６の間にＤＡＣが置かれるか、ＤＡＣ付の音声処理回路２５のＤＡＣが分離されて、スイッチ２６とスピーカ２７の間に置かれる。
【００２６】
音声切換制御回路２８で、ディジタル音声信号の重畳が有ると判別した場合を次に述べる。図２の１０２からエラーレートを判定する１１１へ移動する。ここで映像信号に重畳して入力されたディジタル音声信号のエラーレートが判定される。当然ながら、エラーが多い状態ではアナログ形式で入力されたものよりも、品質が劣ることがある。エラーレートが小さく、一定以上の品質が期待できる場合は、図２中の１１１の右側から下に行き、まず１２３においてＤＡＣ付の音声処理回路２５に電源を供給し、分離した音声信号が圧縮されているならば、ここで伸張処理などを施して、アナログ形式に変換する。１２４においてスイッチ２６にも指令を出し、これを図示の方向に接続する。これにより、ディジタル形式で入力された音声信号は、スピーカ２６へ与えられ音声を再生する。さらに１２５においてＯＳＤ回路２９に指令を出し、インタフェース４２側から供給された音声信号を出力していることを、表示部２４にメッセージで表示しても良い。なお、副音声評価回路２１０の他、インタフェース４１からスイッチ２６に至る部分に、構成要素がある場合は、これらの電源を供給停止しても良い。その後、音声重畳の判別部１０２へ戻り判別を続ける。
【００２７】
図２中の１１１でエラーレートが大きいと判定した場合を次に述べる。１１１の左側から下に行き、まず１１２でインタフェース４１からの音声信号が、有るか否かの判定を行う。これは図１では、副音声評価回路２１０で行われる。なお、これはアナログで与えられる場合が多いが、前記したように映像信号に重畳せずに与えられた、ディジタル音声信号のこともある。有る場合には１１２から左側に行き、前記したものと同様の過程を経て、インタフェース４１側から与えられた音声信号をスピーカ２７へ供給する。特にインタフェース４２側のエラーレートが悪く、インタフェース４１側からの音声信号の方が品質の良い場合は、このようにされる。無い場合には品質に関らず、インタフェース４２からの音声信号を出力する。１１２から下へ行き、１１３においてＤＡＣ付の音声処理回路２５に電源を供給し、分離した音声信号に伸張処理などを施してからアナログ形式に変換する。１１４においてスイッチ２６にも指令を出し、これを図示の方向に接続する。これにより、ディジタル形式で入力された音声信号は、スピーカ２６へ与えられ音声を再生する。さらに１１５においてＯＳＤ回路２９に指令を出し、インタフェース４２側から供給された音声信号を出力しているものの、品質に問題があり、ケーブル接続の緩みをチェックし、あるいはケーブルを短いものへ交換するよう、表示部２４にメッセージで表示しても良い。この場合も、副音声評価回路２１０の他、インタフェース４１からスイッチ２６に至る部分に、構成要素がある場合は、これらの電源を供給停止しても良い。その後、音声重畳の判別部１０２へ戻り判別を続ける。
【００２８】
図２の１１２における音声有無の判定は、文字通りの有無だけではなく、副音声評価回路２１０で、インターフェース４１から入力された音声信号の品質を評価し、これの方がインターフェース４２から入力された音声信号よりも品質の良いことを確認したうえで判定してもよい。或いは、インターフェース４１から入力された音声信号の品質に一定の下限を設け、これよりも劣る場合にはエラーレートが大きくとも、インターフェース４２から入力された音声信号を出力しても良い。
【００２９】
なお、１１１でエラーレートが大きいと判定した場合、直ちに上記したような切換動作を行うのではなく、状態の継続時間を考慮して切換えると良い。長時間の間に一度、エラーレートの劣化した瞬間があった場合には、その都度切換えたのでは却って煩わしい。たとえば同じ状態が数秒継続した際に、初めて切換えるなどした方が良い。
【００３０】
以上のようにすることで、映像信号に重畳されて入力されたディジタル音声信号と、これとは別に入力された音声信号のうち、品質の良いものを自動的に選択して出力できるようになる。またいずれかが無い場合においては、その相手側が自動的に選択されるが、その品質に問題がある時には、警告を表示することができる。また、いずれが選択されたかを表示で知ることができる。さらには、使用しない回路ブロックの電源を切断し、省電力化を図ることができる。短時間のエラー増加によって、頻繁に切換わる煩わしさを解消できる等の効果がある。
【００３１】
ここで、本発明を適用するシステム全体の一例を述べる。図３は本発明で用いるシステム全体の実施形態を示すブロック図であって、放送で情報を送受信し、また記録再生する場合を例にとって示したものである。これには、本発明を適用した装置が含まれている。１Ａは放送受信装置でＳＴＢに相当する。１Ｂは第一の記録再生装置、１Ｃは第二の記録再生装置、２Ａは表示装置、３は放送局などの情報提供局、４は中継局である。なお、第一の記録再生装置１Ｂは、ここでは放送受信装置１Ａに内蔵されているもので、たとえばハードディスクレコーダなどが使われることが多い。第二の記録再生装置１Ｃは、放送受信装置１Ａに外付けされるもので、ＤＶＤ，ディジタルＶＴＲなどが使われることが多い。１Ｂ，１Ｃは記録再生装置であるから、いずれか一方ないし双方が存在しなくとも、本発明の適用は可能である。
【００３２】
放送局など情報提供局３は、例えば放送用衛星などの中継局４を介して、情報によって変調された信号電波を伝送する。ケーブルによる伝送、電話線による伝送、地上波放送による伝送などを用いても良い。受信側の放送受信装置１Ａで受信されたこの信号電波は、復調されて情報信号となった後、必要に応じ、第一の記録再生装置１Ｂ、第二の記録再生装置１Ｃへ記録するに適した信号となって記録される。また、表示装置２Ａへ送られる。また、上記した第一の記録再生装置１Ｂ、第二の記録再生装置１Ｃで再生された情報は、放送受信装置１Ａを介して表示装置２Ａへ与えられる。情報が予め記録された取外し可能な記録媒体、例えばパッケージソフトが提供される時は、これを取付けた、例えば第二の記録再生装置１Ｃでの再生動作以降が行われる。前記した伝送を行う際には、信号のデータ量を圧縮することが多いが、これは表示装置２Ａへ信号を与える直前に伸張し元へ戻す。記録再生装置１Ｂ，１Ｃへ記録する時は、圧縮された状態で記録することが一般である。したがい、これらから情報を再生する時は、一度放送受信装置１Ａを介して伸張してから、表示装置２Ａへ与える。放送受信装置１Ａから表示装置２Ａに信号を与える部分では、圧縮が解除されていてデータ量が膨大であるため、記録することは困難である。
【００３３】
さきに図１で示した映像・音声受信装置２は、図３では表示装置２Ａに相当する。図１の信号発生装置１は、図３の放送受信装置１Ａ単体、ないし放送受信装置１Ａと第二の記録再生装置１Ｃを結合したものに相当する。現在放送中のものを表示装置２Ａで視聴する時は、第一の記録再生装置１Ｂを除く放送受信装置１Ａが信号発生装置１に相当する。第一の記録再生装置１Ｂから再生されたものを表示する時は、これを含む放送受信装置１Ａ全体が信号発生装置１に相当する。第二の記録再生装置１Ｃから再生されたものを表示する時は、これと受信装置１Ａの双方を合わせて信号発生装置１に相当する。
【００３４】
さらに、本発明を適用するシステム応用例を述べる。
【００３５】
図４は本発明の映像・音声受信装置の一例としてのスイッチャを使って、放送を送受信した情報と、パッケージソフトなどを再生した情報を切り換える例を示したブロック図である。１Ｄは放送受信装置でＳＴＢに相当する。１Ｅは再生装置、２Ｂはスイッチャ、５は表示装置、４２Ａと４２Ｂはディジタル映像信号線インタフェース、４１Ａは音声専用インタフェースである。
【００３６】
スイッチャ２Ｂは放送受信装置１Ｄの映像出力と、パッケージソフト等の再生装置１Ｅの映像出力を切り換えると共に、本発明の映像・音声受信装置として働き、いずれの入力についても良好な音声情報を選択できる。こうして得られた音声情報を映像情報へ再度重畳することにより、スイッチャ２Ｂの出力とつながる表示装置５へはディジタル映像インタフェース４２Ｃのみの接続で、映像と音声情報を伝えることができる利点がある。
【図面の簡単な説明】
【００３７】
【図１】本発明の実施例を示す回路ブロック図。
【図２】図１における音声切換制御回路２８の動作を説明する動作フロー図。
【図３】本発明を適用するディジタル情報送受信記録システム全体の一実施形態を示すブロック図。
【図４】本発明の映像・音声受信装置の実施例としてのスイッチャを使ったシステムブロック図。
【符号の説明】
【００３８】
１・・・信号発生装置、１１・・・映像信号源、１２・・・音声信号源、１３・・・音声重畳回路、１４・・・データ送信回路、１５・・・ＤＡＣ（Digital Analogue Converter）、１Ａ，１Ｄ・・・放送受信装置、１Ｂ，１Ｃ・・・記録再生装置、１Ｅ・・・再生装置、２・・・映像・音声受信装置、２１・・・データ受信回路、２２・・・音声分離回路、２３・・・加算回路、２４・・・映像の表示部、２５・・・音声処理回路、２６・・・スイッチ、２７・・・スピーカ、２８・・・音声切換制御回路、２９・・・ＯＳＤ（On Screen Display）回路、２Ｂ・・・スイッチャ、２１０・・・副音声評価回路、２４１・・・表示記録部、２７１・・・音声記録部、３・・・放送局、４・・・中継局、５・・・表示装置
【図１】
0004270136.tif 000002
【図２】
0004270136.tif 000003
【図３】
0004270136.tif 000004
【図４】
0004270136.tif 000005